(57)【特許請求の範囲】
【請求項１】
天面部、底面部および側面部により内部に集塵室を有する形状に形成され、前記天面部側に導入口および排出口を有するハウジングと、このハウジング内部における前記導入口の下流側に設けられる複数の邪魔板と、これら邪魔板の下流側であって前記排出口の上流側に設けられるフィルタとを備え、前記導入口から濾過するべき流体を前記複数の邪魔板に向けて前記集塵室内に導入し、この集塵室内に導入された流体を前記フィルタに通した後で前記排出口から排出するものであって、閉塞板と、この両端側から立設する一対の挟持板とを備え、前記側面部は４つの側面部からなり、これら４つの側面部のうち、一の側面部、およびこれと対向する他の側面部には、それぞれ前記導入口、および前記他の側面部に着脱自在に取着される前記閉塞板により閉塞される開口が設けられ、前記複数の邪魔板は、前記一の側面部と隣り合う両側面部と、これら両側面部と対向するように前記閉塞板から立設する前記一対の挟持板とによって挟持され、前記複数の邪魔板のうち、一の邪魔板は、前記一の側面部と対向する他の側面部の内面上方側から水平方向の側に突出する状態で配置されることを特徴とする集塵装置。
【請求項２】
前記４つの側面部のうち、前記一の側面部と隣り合う一方の側面部および他方の側面部には、それぞれ前記排出口およびフィルタ挿入口が設けられ、このフィルタ挿入口から前記ハウジング内部に前記フィルタが交換自在に挿入されることを特徴とする請求項１記載の集塵装置。
【請求項３】
前記閉塞板、前記一対の挟持板およびこれらによって挟持される前記複数の邪魔板は、一体に構成され、前記開口を閉塞するようにその開口が設けられた側面部に着脱自在に装着されることを特徴とする請求項１記載の集塵装置。
【発明の詳細な説明】
【０００１】
【発明の属する技術分野】
本発明は、吐出し流路中に設けられ、濾過するべき流体を集塵室内に導入し、この集塵室内で集塵されフィルタによって濾過された流体を外部に排出する集塵装置に関するものである。
【０００２】
【従来の技術】
従来、業務用のいわゆる生ゴミ処理機では、処理槽内の空気を外部に排出する方法として２つの方法が採られている。第１の方法は、処理槽内の空気をそのままあるいは内蔵装置に通した後で外部に排出するものであり、第２の方法は、処理槽内の空気をその処理装置内に設けられたフィルタに通した後、そのままあるいは内蔵装置に通した後で外部に排出するものである。
【０００３】
【発明が解決しようとする課題】
上記第１の方法では、処理槽内で多量の粉塵が飛散する状態となった場合、脱臭機に多量の粉塵が流れ込むことになり、内部装置が目詰まりを起こす原因となる。
【０００４】
他方、第２の方法でも、処理槽に見合う大きなフィルタを設置しなければ、フィルタが頻繁に目詰まりを起こすことになり、フィルタを頻繁に清掃しなければならなくなる。
【０００５】
本発明は、上記事情に鑑みてなされたものであり、フィルタが目詰まりとなるまでの期間を延長することができ、フィルタの清掃頻度を低減することができる集塵装置を提供することを目的とする。
【０００６】
【課題を解決するための手段】
上記課題を解決するための請求項１記載の発明の集塵装置は、天面部、底面部および側面部により内部に集塵室を有する形状に形成され、前記天面部側に導入口および排出口を有するハウジングと、このハウジング内部における前記導入口の下流側に設けられる複数の邪魔板と、これら邪魔板の下流側であって前記排出口の上流側に設けられるフィルタとを備え、前記導入口から濾過するべき流体を前記フィルタに通した後で前記排出口から排出するものであって、閉塞板と、この両端側から立設する一対の挟持板とを備え、前記側面部は４つの側面部からなり、これら４つの側面部のうち、一の側面部、およびこれと対向する他の側面部には、それぞれ前記導入口、および前記他の側面部に着脱自在に取着される前記閉塞板により閉塞される開口が設けられ、前記複数の邪魔板は、前記一の側面部と隣り合う両側面部と、これら両側面部と対向するように前記閉塞板から立設する前記一対の挟持板とによって挟持され、前記複数の邪魔板のうち、一の邪魔板は、前記一の側面部と対向する他の側面部の内面上方側から水平方向の側に突出する状態で配置されることを特徴とする集塵装置。
【０００８】
請求項２記載の発明は、請求項１記載の集塵装置において、前記４つの側面部のうち、前記一の側面部と隣り合う一方の側面部および他方の側面部には、それぞれ前記排出口およびフィルタ挿入口が設けられ、このフィルタ挿入口から前記ハウジング内部に前記フィルタが交換自在に挿入されることを特徴とする。
【０００９】
請求項３記載の発明は、請求項１記載の集塵装置において、前記閉塞板、前記一対の挟持板およびこれらによって挟持される前記複数の邪魔板は、一体に構成され、前記開口を閉塞するようにその開口が設けられた側面部に着脱自在に装着されることを特徴とする。
【００１１】
【発明の実施の形態】
図１は本発明に係る一実施形態の集塵装置の構成図、図２は同集塵装置を使用する生ゴミ処理機の概略構成図、図３，図４は同生ゴミ処理機における流路の説明図である。ただし、図１（ｄ）は、閉塞板、一対の狭持板および複数の邪魔板を取り外した状態の集塵装置を示し、図１（ｅ）は、図１（ａ）のＡ−Ａ線断面図であり、流路を明確にするため狭持板の図示を省略してある。
【００１２】
本実施形態の集塵装置１は、図２から図４に示すように、生ゴミ処理機２の吐出し流路中に設けられて使用され、生ゴミ処理機２内部の空気を交換する際にそれに混入する粉塵を捕集するためのものである。
【００１３】
すなわち、生ゴミ処理機２は、処理槽２ａおよびオーバーフロー槽２ｂ内に設けられる複数の攪拌羽根２０と、これら攪拌羽根２０を軸２１の回りに回動するモータ２２と、所定の流路に沿って流体（空気や粉塵など）を流すためのブロワ２３と、このブロワ２３の上流側に設けられる酸化触媒型脱臭器２４および熱交換機２５と、ブロワ２３の下流側に設けられる消音装置２６と、この消音装置２６の下流側に設けられる排気管２７と、モータ２２およびブロワ２３などの制御を行う制御装置（図２の制御ボックス２８に収納される）とを備えており、本集塵装置１は、上記処理槽２ａおよびオーバーフロー槽２ｂと酸化触媒型脱臭器２４との間の吐出し流路中に設けられる。
【００１４】
流路についてさらに説明すると、外部からの空気は、図２および図３に示すように、制御ボックス２８側から導入管２０ａを通って処理槽２ａに到達し、この後、オーバーフロー槽２ｂを横切って集塵装置１に至る。そして、集塵装置１を抜けた空気は、図４に示すように、酸化触媒型脱臭器２４を通って熱交換機２５に入り、この熱交換機２５からブロワ２３に導かれて消音装置２６を通り、この後、排気管２７から外部に排出される。つまり、本実施形態でいうところの吐出し流路とは、ブロワ２３を基準にしたものではなく、粉塵源である処理槽２ａおよびオーバーフロー槽２ｂを基準としたものであって、それら処理槽２ａおよびオーバーフロー槽２ｂと排気管２７との間の流路のことである。これに対して、吸込み流路は、制御ボックス２８側から導入管２０ａを通って処理槽２ａに至る流路となる。
【００１５】
図５から図７は本実施形態の集塵装置を各方向から見た場合の斜視図、図８は同集塵装置の閉塞板、一対の狭持板および複数の邪魔板を示す斜視図、図９は図８の一式の構成図、図１０は同集塵装置に用いられるフィルタなどを示す図、図１１は同フィルタの交換の様子を示す図であり、これらの図をさらに参照しながら、本実施形態の集塵装置について詳述する。
【００１６】
集塵装置１は、図１、図５〜図７に示すように、天面部１００、底面部１０１および側面部１０２〜１０５により内部に集塵室１ａを有する直方体状に形成され、天面部１００側に導入口１０６および排出口１０７を有するハウジング１０と、このハウジング１０内部における導入口１０６の下流側に設けられる複数の邪魔板１１〜１５と、これら邪魔板１１〜１５の下流側であって排出口１０７の上流側に設けられる、粉塵捕集用のフィルタ１６とを備えている。つまり、集塵装置１は、上記流路の吐出し流路中の酸化触媒型脱臭器２４上流に設けられ、導入口１０６から濾過するべき流体を複数の邪魔板１１〜１５に向けて集塵室１ａ内に導入し、この集塵室１ａ内に導入された流体をフィルタ１６に通した後で排出口１０７から排出するようになっているのである。
【００１７】
ハウジング１０は、図１、図５〜図９に示すように、閉塞板１０８と、この両端側から立設する一対の狭持板１０９とをさらに備えている。そして、ハウジング１０の４つの側面部１０２〜１０５のうち、一の側面部１０２、およびこれと対向する他の側面部１０３には、それぞれ導入口１０６、および他の側面部１０３に着脱自在に取着される閉塞板１０８により閉塞される開口１０８ａが設けられている。他方、一の側面部１０２と隣り合う一方の側面部１０４および他方の側面部１０５には、それぞれ排出口１０７およびフィルタ挿入口１０５ａが設けられ、このフィルタ挿入口１０５ａからハウジング１０内部にフィルタ１６が交換自在に挿入されるようになっている。
【００１８】
図１０，図１１の例では、フィルタ１６は、取っ手１７ａのついた枠状の（複数の枠部からなる）容器１７と、これに対応する枠状の蓋１８とにより狭持された状態で、フィルタ挿入口１０５ａからハウジング１０内部の一対の枠１１０間に挿入され、複数の邪魔板１１〜１５と排出口１０７との間の流路断面全体を通気可能に覆うようになっている。なお、上記一対の枠１１０は、図示しない縁部の突起が、図５に示す側面部１０２のスリット１０２ａ、図１（ｄ）に示す側面部１０３のスリット１０３ａおよび図１（ｃ）に示す側面部１０４のスリット１０４ａなどに填り込むことにより、ハウジング１０に固定されるようになっている。
【００１９】
複数の邪魔板１１〜１５は、一の側面部１０２と隣り合う両側面部１０４，１０５と、これら両側面部１０４，１０５と対向するように閉塞板１０８から立設する一対の狭持板１０９とによって狭持される。具体的には、両側面部１０４，１０５によって邪魔板１１が狭持され、一対の狭持板１０９によって邪魔板１２〜１５が狭持される。そして、閉塞板１０８、一対の狭持板１０９およびこれらによって狭持される複数の邪魔板１２〜１５は、一体に構成され、開口１０８ａを閉塞するようにその開口１０８ａが設けられた側面部１０３にネジなどで着脱自在に装着されるようになっている。
【００２０】
ここで、側面部１０２は、図１（ｅ）に示すように、側面部１０２の上端側をなし下方の一部が邪魔板１１を兼ねる上側面部１０２1 と、側面部１０２の下端側をなし導入口１０６の下方近傍から外方へ屈曲した形状の下側面部１０２2 とにより構成されている。そして、上側面部１０２1 は、図略の縁部の突起が図１（ｃ）に示す側面部１０４のスリット１０４ｂなどに填り込むことにより、ハウジング１０に固定され、下側面部１０２2 も、図略の縁部の突起が図１（ｃ）に示す側面部１０４のスリット１０４ｃなどに填り込むことにより、ハウジング１０に固定されるようになっている。なお、側面部１０４と対向する側面部１０５にも同様のスリットで固定するようになっていることは言うまでもない。
【００２１】
また、図９において、邪魔板１２、邪魔板１３、邪魔板１４および邪魔板１５は、図略の縁部の突起が、両狭持板１０９のスリット１０９ａ、スリット１０９ｂ、スリット１０９ｃおよびスリット１０９ｄにそれぞれ填り込むことにより、両狭持板１０９に固定されるようになっている。
【００２２】
図１２に同集塵装置に設けられる邪魔板の配置例を示し、図１３に同様な邪魔板による粒径の違いによる集塵効果の解析結果を示す。
【００２３】
本実施形態では、図１２に示すように、邪魔板１１〜１５のうち、３枚の邪魔板１１〜１３は、導入口１０６が設けられた側面部１０２と対向して奥行き方向に１：１：２の間隔をあけ、奥行き方向にいくに従って下方にずれる状態で配置されている。残り２枚の邪魔板１４，１５のうち、一方の邪魔板１４は、導入口１０６が設けられた側面部１０２の内面上方側から邪魔板１１の下方側に向けて水平方向の側（図では水平方向下向き）に突出する状態で配置されている一方、他方の邪魔板１５は、側面部１０２と対向する側面部１０３の内面上方側から水平方向の側（図では水平方向）に突出する状態で配置されている。ただし、図１３の解析結果が得られた集塵装置では、排出口１０７は導入口の対向側に配置され、３枚の邪魔板１１〜１３は、導入口１０６が設けられた側面部１０２と対向して奥行き方向に１：１：１の間隔で設けられている。
【００２４】
この図１３から分かるように、上記の如く邪魔板１１〜１４を設けることにより、流体に１００μｍ程度の粒径の粉塵が混入する場合、その一部の粉塵が邪魔板１２に衝突して振るい落とされて集塵室１ａ内に取り込まれる。
【００２５】
また、流体に５０μｍないし１００μｍ程度の粉塵が混入する場合、排出口１０７に向かう粉塵の全てが、導入口１０６が設けられた側面部１０２と対向する側面部１０３の内面に沿って排出口１０７に向かう。さらに１０μｍ程度の粉塵が混入する場合でも、排出口１０７に向かう粉塵の大部分が、側面部１０３の内面に沿って排出口１０７に向かう。このため、図１２に示すように、その流路上に邪魔板１５をさらに設けることにより、１０μｍないし１００μｍ程度の粒径の粉塵を好適に集塵室１ａ内に取り込むことができる。
【００２６】
以上、本実施形態によれば、導入口１０６から濾過するべき流体を複数の邪魔板１１〜１５に向けて集塵室１ａ内に導入することにより、流体に混入する粉塵を邪魔板で振るい落として集塵室１ａ内に取り込むことができるから、フィルタ１６を粉塵で汚れにくくするすることができ、この結果、フィルタ１６が目詰まりとなるまでの期間を延長することができ、フィルタ１６の清掃頻度を低減することができる。
【００２７】
また、複数の邪魔板１１〜１５が、一の側面部１０２と隣り合う両側面部１０４，１０５と、これら両側面部１０４，１０５と対向するように閉塞板１０８から立設する一対の狭持板１０９とによって狭持され、閉塞板１０８が他の側面部１０３に着脱自在に取着されるので、閉塞板１０８をハウジング１０から取り外すことにより、閉塞板１０８から立設する一対の狭持板１０９によって狭持された邪魔板１２〜１５もハウジング１０から取り外すことができ、それら邪魔板１２〜１５に付着した粉塵を清掃することが容易となる。
【００２８】
また、フィルタ挿入口１０５ａからハウジング１０内部にフィルタ１６が交換自在に挿入されるので、フィルタ１６の交換が容易となる。図２などに示す生ゴミ処理機２での集塵装置１の配置構造によれば、処理槽２ａおよびオーバーフロー槽２ｂ上方の投入口扉を閉めたまま、フィルタ清掃扉２９を開けることで、フィルタ挿入口１０５ａの箇所でフィルタ１６を簡単に交換することができる。この場合、処理槽２ａおよびオーバーフロー槽２ｂ内の臭気が無用に外部に漏れるのを防止することができる。また、処理槽２ａおよびオーバーフロー槽２ｂの外部に集塵装置１が来るので、フィルタ１６の交換時に利用者の手が処理槽２ａおよびオーバーフロー槽２ｂの温度に曝されることがない。
【００２９】
また、閉塞板１０８、一対の狭持板１０９およびこれらによって狭持される複数の邪魔板１２〜１５が、一体に構成され、開口１０８ａを閉塞するようにその開口１０８ａが設けられた側面部１０３に着脱自在に装着されるので、一体に構成された閉塞板１０８、狭持板１０９および邪魔板１２〜１５を側面部１０３から取り外すことで、側面部１０３の開口１０８ａから、ハウジング１０内部の集塵室１ａに溜まった粉塵を簡単に除去することができる。
【００３０】
さらに、側面部１０２と対向する側面部１０３の内面上方側から水平方向の側に突出する状態で邪魔板１５を配置することにより、側面部１０３の内面に沿って排出口１０７に向かう粉塵を集塵室１ａに取り込むことができるので、より好適に、フィルタ１６を粉塵で汚れにくくするすることができる。
【００３１】
なお、本実施形態では、排出口１０７は側面部１０４に設けられる構造になっているが、本発明の排出口は、これに限らず、例えば側面部１０３に設けられる構造でも、あるいは天面部１００に設けられる構造でもよい。このような構造でも、本実施形態と同様の捕集効果を得ることができる。
【００３２】
また、側面部は、４つの側面部からなる構造になっているが、本発明の側面部は、例えば、各部の配置構造が本実施形態と同様であれば、断面正八角形をなす８つの側面部からなる構造でも、あるいは円筒状の側面部などからなる構造でもよい。このような構造でも、本実施形態と同様の捕集効果を得ることができる。
【００３３】
【発明の効果】
以上のことから明らかなように、請求項１記載の発明の集塵装置は、天面部、底面部および側面部により内部に集塵室を有する形状に形成され、前記天面部側に導入口および排出口を有するハウジングと、このハウジング内部における前記導入口の下流側に設けられる複数の邪魔板と、これら邪魔板の下流側であって前記排出口の上流側に設けられるフィルタとを備え、前記導入口から濾過するべき流体を前記複数の邪魔板に向けて前記集塵室内に導入し、この集塵室内に導入された流体を前記フィルタに通した後で前記排出口から排出するものであって、閉塞板と、この両端側から立設する一対の挟持板とを備え、前記側面部は４つの側面部からなり、これら４つの側面部のうち、一の側面部、およびこれと対向する他の側面部には、それぞれ前記導入口、および前記他の側面部に着脱自在に取着される前記閉塞板により閉塞される開口が設けられ、前記複数の邪魔板は、前記一の側面部と隣り合う両側面部と、これら両側面部と対向するように前記閉塞板から立設する前記一対の挟持板とによって挟持され、前記複数の邪魔板のうち、一の邪魔板は、前記一の側面部と対向する他の側面部の内面上方側から水平方向の側に突出する状態で配置されるので、流体に混入する粉塵を邪魔板で振るい落として集塵室内に取り込むことができるから、フィルタを粉塵で汚れにくくすることができ、この結果、フィルタが目詰まりとなるまでの期間を延長することができ、フィルタの清掃頻度を低減することができる。また、閉塞板をハウジングから取り外すことにより、閉塞板から立設する一対の挟持板によって挟持された邪魔板もハウジングから取り外すことができ、邪魔板に付着した粉塵を清掃することが容易となる。更に、他の側面部の内面に沿って排出口に向かう粉塵を集塵室に取り込むことができるから、より好適に、フィルタを粉塵で汚れにくくすることができる。
【００３５】
請求項２記載の発明は、請求項１記載の集塵装置において、前記４つの側面部のうち、前記一の側面部と隣り合う一方の側面部および他方の側面部には、それぞれ前記排出口およびフィルタ挿入口が設けられ、このフィルタ挿入口から前記ハウジング内部に前記フィルタが交換自在に挿入されるので、フィルタの交換が容易となる。
【００３６】
請求項３記載の発明は、請求項１記載の集塵装置において、前記閉塞板、前記一対の挟持板およびこれらによって挟持される前記複数の邪魔板は、一体に構成され、前記開口を閉塞するようにその開口が設けられた側面部に着脱自在に装着されるので、一体に構成された閉塞板、挟持板および邪魔板を側面部から取り外すことで、側面部の開口から、ハウジング内部の集塵室に溜まった粉塵を簡単に除去することができる。
【図面の簡単な説明】
【図１】本発明に係る一実施形態の集塵装置の構成図である。
【図２】同集塵装置を使用する生ゴミ処理機の概略構成図である。
【図３】同生ゴミ処理機における流路の説明図である。
【図４】同生ゴミ処理機における流路の説明図である。
【図５】本実施形態の集塵装置の斜視図である。
【図６】本実施形態の集塵装置の斜視図である。
【図７】本実施形態の集塵装置の斜視図である。
【図８】同集塵装置の閉塞板、一対の狭持板および複数の邪魔板を示す斜視図である。
【図９】図８の一式の構成図である。
【図１０】同集塵装置に用いられるフィルタなどを示す図である。
【図１１】同フィルタの交換の様子を示す図である。
【図１２】同集塵装置に設けられる邪魔板の配置例を示す図である。
【図１３】同様な邪魔板による粒径の違いによる集塵効果の解析結果を示す図である。
【符号の説明】
１  集塵装置
１ａ  集塵室
１０  ハウジング
１００  天面部
１０１  底面部
１０２〜１０５  側面部
１０６  導入口
１０７  排出口
１０８  閉塞板
１０９  狭持板
１１０  枠
１１〜１５  邪魔板
１６  フィルタ
【図１】
0004100028.tif 000002
【図２】
0004100028.tif 000003
【図３】
0004100028.tif 000004
【図４】
0004100028.tif 000005
【図５】
0004100028.tif 000006
【図６】
0004100028.tif 000007
【図７】
0004100028.tif 000008
【図８】
0004100028.tif 000009
【図９】
0004100028.tif 000010
【図１０】
0004100028.tif 000011
【図１１】
0004100028.tif 000012
【図１２】
0004100028.tif 000013
【図１３】
0004100028.tif 000014